(57)【要約】【課題】必要により安全を図りながら、電源の管理に要する手間を極力簡略化する。【解決手段】光源ランプ28の発する光を用い、入力信号に対応した光像を形成して投影するマイクロミラー素子26、投影レンズ12を含む投影部と、投影部での投影動作に関する指示を入力するキースイッチ部15と、装置に対する電源の供給を検出し、電源の供給を検出した際に、上記光源ランプ28の点灯駆動を含む投影部での投影動作を自動的に開始させ、その後、所定時間内にキースイッチ部15からの入力がない場合には、投影部での投影動作を停止して電源を切断する制御部34とを備える。【選択図】      図２
2008129531.tif 000002
【特許請求の範囲】
【請求項１】
光源ランプの発する光を用い、入力信号に対応した光像を形成して投影する投影手段と、
現在の日時を計時する計時手段と、
投影動作を実行する日時の範囲をスケジュールデータとして管理するスケジュール管理手段と、
装置に対する電源の供給を検出する検出手段と、
この検出手段で電源の供給を検出した際に、上記計時手段が計時する現在の日時と上記スケジュール管理手段が管理するスケジュールデータとにより、上記投影手段での投影の実行の有無を判断する判断手段と、
この判断手段での判断結果に応じて、上記光源ランプの点灯駆動を含む上記投影手段での投影動作を自動的に開始させる電源制御手段と
を具備したことを特徴とする投影装置。
【請求項２】
上記投影手段での投影動作に関する指示を入力する指示入力手段をさらに具備し、
上記電源制御手段は、上記投影手段での投影動作を開始した後、所定時間内に上記指示入力手段からの入力がない場合には、上記投影手段での投影動作を停止して電源を切断する
ことを特徴とする請求項１記載の投影装置。
【請求項３】
光源ランプの発する光を用い、入力信号に対応した光像を形成して投影する投影手段と、
上記投影手段での投影動作に関する指示を入力する指示入力手段と、
装置に対する電源の供給を検出する検出手段と、
この検出手段で電源の供給を検出した際に、上記光源ランプの点灯駆動を含む上記投影手段での投影動作を自動的に開始させ、その後、所定時間内に上記指示入力手段からの入力がない場合には、上記投影手段での投影動作を停止して電源を切断する電源制御手段と
を具備したことを特徴とする投影装置。
【請求項４】
上記投影手段での投影動作を開始した後、上記電源制御手段が、上記指示入力手段からの入力がない状態を計時する所定時間中に、上記指示入力手段による入力を促す表示を行なう表示手段をさらに具備したことを特徴とする請求項２または３記載の投影装置。
【請求項５】
光源ランプの発する光を用い、入力信号に対応した光像を形成して投影する投影装置の投影制御方法であって、
現在の日時を計時する計時工程と、
投影動作を実行する日時の範囲をスケジュールデータとして管理するスケジュール管理工程と、
装置に対する電源の供給を検出する検出工程と、
この検出工程で電源の供給を検出した際に、上記計時工程で計時する現在の日時と上記スケジュール管理工程で管理するスケジュールデータとにより、投影の実行の有無を判断する判断工程手段と、
この判断工程での判断結果に応じて、上記光源ランプの点灯駆動を含む投影動作を自動的に開始させる電源制御工程と
を有したことを特徴とする投影制御方法。
【請求項６】
光源ランプの発する光を用い、入力信号に対応した光像を形成して投影する投影装置の投影制御方法であって、
上記投影動作に関する指示を入力する指示入力工程と、
装置に対する電源の供給を検出する検出工程と、
この検出工程で電源の供給を検出した際に、上記光源ランプの点灯駆動を含む投影動作を自動的に開始させ、その後、所定時間内に上記指示入力工程での入力がない場合には、投影動作を停止して電源を切断する電源制御工程と
を有したことを特徴とする投影制御方法。
【請求項７】
光源ランプの発する光を用い、入力信号に対応した光像を形成して投影する投影装置に内蔵されたコンピュータが実行するプログラムであって、
現在の日時を計時する計時ステップと、
投影動作を実行する日時の範囲をスケジュールデータとして管理するスケジュール管理ステップと、
装置に対する電源の供給を検出する検出ステップと、
この検出ステップで電源の供給を検出した際に、上記計時ステップで計時する現在の日時と上記スケジュール管理ステップで管理するスケジュールデータとにより、投影の実行の有無を判断する判断ステップ手段と、
この判断ステップでの判断結果に応じて、上記光源ランプの点灯駆動を含む投影動作を自動的に開始させる電源制御ステップと
を実行することを特徴とするプログラム。
【請求項８】
光源ランプの発する光を用い、入力信号に対応した光像を形成して投影する投影装置に内蔵されたコンピュータが実行するプログラムであって、
上記投影動作に関する指示を入力する指示入力ステップと、
装置に対する電源の供給を検出する検出ステップと、
この検出ステップで電源の供給を検出した際に、上記光源ランプの点灯駆動を含む投影動作を自動的に開始させ、その後、所定時間内に上記指示入力ステップでの入力がない場合には、投影動作を停止して電源を切断する電源制御ステップと
を実行することを特徴とするプログラム。
【請求項９】
熱を発生する発熱手段と、
上記発熱手段での発熱動作の指示を入力する指示入力手段と、
機器に対する電源の供給を検出する検出手段と、
この検出手段で電源の供給を検出した際に、上記発熱手段での発熱動作を自動的に開始させ、その後、所定時間内に上記指示入力手段からの入力がない場合には、上記発熱手段での発熱動作を停止して電源を切断する電源制御手段と
を具備したことを特徴とする電気機器。
【発明の詳細な説明】
【技術分野】
【０００１】
本発明は、光源ランプの発する光を用い、入力信号に対応した光像を形成して投影する投影装置、投影制御方法及びプログラムに関する。
【背景技術】
【０００２】
従来より、プロジェクタ装置において、ダイレクトパワーオン機能と称される、ＡＣ電源の接続を検知することで、電源キーの操作なしに自動的に光源ランプの点灯を含む電源投入動作を開始するような機能が一部の機種に搭載されている。
【０００３】
このダイレクトパワーオン機能は、ユーザにより任意に設定されるもので、セットアップ時間を短縮したい場合や、プロジェクタ装置を例えば天井から吊り下げた状態で据付設置して遠隔操作する場合等に好適な機能である。
【０００４】
また、これとは別に、予め定めたスケジュールに従ってプロジェクタを自動的に動作させるべく、スケジュール制御回路が予め設定したスケジュール情報に従って投写表示制御装置に対する各種動作要求を生成し、常にクロックから入力される時刻情報を監視し、入力された時刻情報に対してスケジュール情報が設定されている場合には、設定されているスケジュール情報に従って動作要求を生成し、投写表示制御装置に送出し、制御回路が動作要求に基づいて、例えば、映像作成装置制御回路に対してコンテンツ取得要求を送出し、取得されたコンテンツを投写表示処理回路によって投写させるようにした技術も考えられている。（例えば、特許文献１）
【特許文献１】特開２００２−０４４６２７号公報
【発明の開示】
【発明が解決しようとする課題】
【０００５】
上記ダイレクトパワーオン機能は、上述した如くセットアップ時間を短縮したい場合や、プロジェクタ装置を例えば天井から吊り下げた状態で据付設置して遠隔操作する場合等に便利な機能である。
【０００６】
しかしながら、その反面、例えば停電等の原因により投影動作を停止した場合、ＡＣ電源を接続したままの状態で放置しておくと、無人の環境下でも停電が復旧した時点で自動的に電源が投入される。
【０００７】
そのため、無駄に光源ランプを点灯駆動することとなり、その寿命を縮めてしまうばかりではなく、ユーザが不用意に書類などを装置上や周辺に放置している場合には、高温のランプ周辺、あるいは排気から発火等に至ることも考えられ、大変危険である。
【０００８】
また、上記特許文献１に記載された技術は、予め設定したスケジュール情報に従って投影動作を含む動作制御を行なう技術が記載されたものであり、上述したダイレクトパワーオン機能設定時の停電等の事態を考慮したものではない。
【０００９】
本発明は上記のような実情に鑑みてなされたもので、その目的とするところは、必要により安全を図りながら、電源の管理に要する手間を極力簡略化することが可能な投影装置、投影制御方法及びプログラムを提供することにある。
【課題を解決するための手段】
【００１０】
請求項１記載の発明は、光源ランプの発する光を用い、入力信号に対応した光像を形成して投影する投影手段と、現在の日時を計時する計時手段と、投影動作を実行する日時の範囲をスケジュールデータとして管理するスケジュール管理手段と、装置に対する電源の供給を検出する検出手段と、この検出手段で電源の供給を検出した際に、上記計時手段が計時する現在の日時と上記スケジュール管理手段が管理するスケジュールデータとにより、上記投影手段での投影の実行の有無を判断する判断手段と、この判断手段での判断結果に応じて、上記光源ランプの点灯駆動を含む上記投影手段での投影動作を自動的に開始させる電源制御手段とを具備したことを特徴とする。
【００１１】
請求項２記載の発明は、上記請求項１記載の発明において、上記投影手段での投影動作に関する指示を入力する指示入力手段をさらに具備し、上記電源制御手段は、上記投影手段での投影動作を開始した後、所定時間内に上記指示入力手段からの入力がない場合には、上記投影手段での投影動作を停止して電源を切断することを特徴とする。
【００１２】
請求項３記載の発明は、光源ランプの発する光を用い、入力信号に対応した光像を形成して投影する投影手段と、上記投影手段での投影動作に関する指示を入力する指示入力手段と、装置に対する電源の供給を検出する検出手段と、この検出手段で電源の供給を検出した際に、上記光源ランプの点灯駆動を含む上記投影手段での投影動作を自動的に開始させ、その後、所定時間内に上記指示入力手段からの入力がない場合には、上記投影手段での投影動作を停止して電源を切断する電源制御手段とを具備したことを特徴とする。
【００１３】
請求項４記載の発明は、上記請求項２または３記載の発明において、上記投影手段での投影動作を開始した後、上記電源制御手段が、上記指示入力手段からの入力がない状態を計時する所定時間中に、上記指示入力手段による入力を促す表示を行なう表示手段をさらに具備したことを特徴とする。
【００１４】
請求項５記載の発明は、光源ランプの発する光を用い、入力信号に対応した光像を形成して投影する投影装置の投影制御方法であって、現在の日時を計時する計時工程と、投影動作を実行する日時の範囲をスケジュールデータとして管理するスケジュール管理工程と、装置に対する電源の供給を検出する検出工程と、この検出工程で電源の供給を検出した際に、上記計時工程で計時する現在の日時と上記スケジュール管理工程で管理するスケジュールデータとにより、投影の実行の有無を判断する判断工程手段と、この判断工程での判断結果に応じて、上記光源ランプの点灯駆動を含む投影動作を自動的に開始させる電源制御工程とを有したことを特徴とする。
【００１５】
請求項６記載の発明は、光源ランプの発する光を用い、入力信号に対応した光像を形成して投影する投影装置の投影制御方法であって、上記投影動作に関する指示を入力する指示入力工程と、装置に対する電源の供給を検出する検出工程と、この検出工程で電源の供給を検出した際に、上記光源ランプの点灯駆動を含む投影動作を自動的に開始させ、その後、所定時間内に上記指示入力工程での入力がない場合には、投影動作を停止して電源を切断する電源制御工程とを有したことを特徴とする。
【００１６】
請求項７記載の発明は、光源ランプの発する光を用い、入力信号に対応した光像を形成して投影する投影装置に内蔵されたコンピュータが実行するプログラムであって、現在の日時を計時する計時ステップと、投影動作を実行する日時の範囲をスケジュールデータとして管理するスケジュール管理ステップと、装置に対する電源の供給を検出する検出ステップと、この検出ステップで電源の供給を検出した際に、上記計時ステップで計時する現在の日時と上記スケジュール管理ステップで管理するスケジュールデータとにより、投影の実行の有無を判断する判断ステップ手段と、この判断ステップでの判断結果に応じて、上記光源ランプの点灯駆動を含む投影動作を自動的に開始させる電源制御ステップとを実行することを特徴とする。
【００１７】
請求項８記載の発明は、光源ランプの発する光を用い、入力信号に対応した光像を形成して投影する投影装置に内蔵されたコンピュータが実行するプログラムであって、上記投影動作に関する指示を入力する指示入力ステップと、装置に対する電源の供給を検出する検出ステップと、この検出ステップで電源の供給を検出した際に、上記光源ランプの点灯駆動を含む投影動作を自動的に開始させ、その後、所定時間内に上記指示入力ステップでの入力がない場合には、投影動作を停止して電源を切断する電源制御ステップとを実行することを特徴とする。
【００１８】
請求項９記載の発明は、熱を発生する発熱手段と、上記発熱手段での発熱動作の指示を入力する指示入力手段と、機器に対する電源の供給を検出する検出手段と、この検出手段で電源の供給を検出した際に、上記発熱手段での発熱動作を自動的に開始させ、その後、所定時間内に上記指示入力手段からの入力がない場合には、上記発熱手段での発熱動作を停止して電源を切断する電源制御手段とを具備したことを特徴とする。
【発明の効果】
【００１９】
本発明によれば、必要により安全を図りながら、電源の管理に要する手間を極力簡略化することが可能となる。
【発明を実施するための最良の形態】
【００２０】
以下本発明をプロジェクタ装置に適用した場合の実施の一形態について図面を参照して説明する。
【００２１】
図１は、同実施の形態に係るプロジェクタ装置１０の外観構成を示すもので、図１（Ａ）が主として筐体前面及び上面、図１（Ｂ）が主として筐体背面及び上面を示す。
【００２２】
同図（Ａ）に示すように、直方体状の本体ケーシング１１の前面に、投影レンズ１２、測距センサ１３、及びＩｒ受光部１４が配設される。
【００２３】
投影レンズ１２は、後述するマイクロミラー素子でなる空間的光変調素子で形成された光像を拡大してスクリーン等の対象に投影するためのものであり、ここでは合焦位置及びズーム位置（投影画角）を任意に可変できるものとする。
【００２４】
測距センサ１３は、投影レンズ１２に隣接して２対の位相差センサの一方が水平方向、他方が垂直方向となるように配置され、被写体像に対する視差から三角測距の原理に基づいて投影対象までの距離を水平方向、垂直方向の２次元的な検出ラインに沿って測定する。
【００２５】
Ｉｒ受光部１４は、図示しないこのプロジェクタ装置１０のリモートコントローラからのキー操作信号が重畳された赤外光（Ｉｒ）信号を受信する。
【００２６】
また、本体ケーシング１１の上面には、キースイッチ部１５及びスピーカ１６が配設される。  
キースイッチ部１５は、例えば電源キー、ＡＦＫ（Ａｕｔｏｍａｔｉｃ  Ｆｏｃｕｓ／ａｕｔｏｍａｔｉｃ  Ｋｅｙ−ｓｔｏｎｅ  ｃｏｒｒｅｃｔｉｏｎ：自動合焦／自動台形補正）キー、ズームキー、入力選択キー、カーソル（「↑」「↓」「←」「→」）キー、「Ｅｎｔｅｒ」キー、等からなるもので、同様のキーがこのプロジェクタ装置１０の図示しないリモートコントローラにも配設されるものとする。
【００２７】
スピーカ１６は、入力された音声信号及び動作時のビープ音等を拡声放音する。
【００２８】
また、図１（Ｂ）に示すように本体ケーシング１１の背面には、入出力コネクタ部１７、Ｉｒ受光部１８、及びＡＣアダプタ接続部１９が配設される。  
入出力コネクタ部１７は、例えばパーソナルコンピュータ等の外部装置との接続のためのＵＳＢ端子、映像入力用のミニＤ−ＳＵＢ端子、及びＲＣＡ（ピンジャック）端子からなる。
【００２９】
Ｉｒ受光部１８は、上記Ｉｒ受光部１４と同様に、図示しないリモートコントローラからのキー操作信号が重畳された赤外光（Ｉｒ）信号を受信する。  
ＡＣアダプタ接続部１９は、電源となる図示しないＡＣアダプタからのケーブルを接続する。
【００３０】
次に図２により上記プロジェクタ装置１０の電子回路の機能構成について説明する。図中、上記入出力コネクタ部１７より入力された各種規格の画像信号が、入出力インタフェース（Ｉ／Ｆ）２１、システムバスＳＢを介して画像変換部２２で所定のフォーマットの画像信号に統一された後に、投影エンコーダ２３へ送られる。
【００３１】
投影エンコーダ２３は、送られてきた画像信号をビデオＲＡＭ２４に展開記憶させた上でこのビデオＲＡＭ２４の記憶内容からビデオ信号を生成して投影駆動部２５に出力する。
【００３２】
この投影駆動部２５は、送られてきた画像信号に対応して適宜フレームレート、例えば６０［フレーム／秒］と色成分の分割数、及び表示階調数を乗算した、より高速な時分割駆動で空間的光変調素子（ＳＯＭ）である例えばマイクロミラー素子２６を表示駆動する。
【００３３】
このマイクロミラー素子２６に対して、リフレクタ２７内に配置された、例えば超高圧水銀灯を用いた光源ランプ２８が出射する高輝度の白色光を、カラーホイール２９を介して適宜原色に着色し、ライトトンネル３０で輝度分布が均一な光束とした後にミラー３１で全反射して照射することで、その反射光で光像が形成され、上記投影レンズ１２を介してここでは図示しないスクリーンに投影表示される。
【００３４】
しかるに、光源ランプ２８の点灯駆動と、カラーホイール２９を回転駆動するモータ（Ｍ）３２はいずれも投影光処理部３３の制御の下に動作する。
【００３５】
上記各回路のすべての動作を制御部３４が制御する。この制御部３４は、ＣＰＵと、投影動作時に該ＣＰＵで実行する動作プログラムや各種定型データ等を固定記憶した不揮発性メモリ、及びワークメモリ等により構成される。
【００３６】
この制御部３４にはまた、上記システムバスＳＢを介して時計部３５、スケジュール管理部３６、測距処理部３７、及び音声処理部３８が接続される。
【００３７】
時計部３５は、プロジェクタ装置１０の電源の投入状態に関係なく現在の日付及び時刻を計時し続ける他、後述するカウントダウンタイマーとしても機能する。
【００３８】
スケジュール管理部３６は、上記キースイッチ部１５またはこのプロジェクタ装置１０のリモートコントローラでのキー操作に応じて入力される、このプロジェクタ装置１０の稼働スケジュールを示す時間帯情報をスケジュール情報として記憶、管理する。
【００３９】
測距処理部３７は、上記２対の位相差センサからなる測距センサ１３を制御駆動し、それらの検出出力から任意の点位置までの距離を算出するもので、算出された距離値データは上記制御部３４へ送られる。
【００４０】
音声処理部３８は、ＰＣＭ音源等の音源回路を備え、投影動作時に与えられる音声データをアナログ化し、上記スピーカ１６を駆動して拡声放音し、あるいは必要によりビープ音等を発生させる。
【００４１】
なお、上記キースイッチ（ＳＷ）部１５における各キー操作信号が直接制御部３４に入力されると共に、Ｉｒ受光部３９からの信号も直接制御部３４に入力される。このＩｒ受光部３９は、上記本体ケーシング１１の前面側のＩｒ受光部１４及び同背面側のＩｒ受光部１８を含み、図示しないリモートコントローラからの赤外光受信信号をコード信号化して制御部３４に送出する。
【００４２】
次に上記実施の形態の動作について説明する。  
（第１の動作例）  
以下に示す動作は、制御部３４が予め内部の不揮発性メモリに記憶されている動作プログラムに基づいて実行するものである。
【００４３】
なお、ここでは予めユーザによって投影動作を行なうスケジュール情報が入力され、スケジュール管理部３６に記憶されるものとする。
【００４４】
図３は、事前にスケジュール管理部３６にスケジュール情報を記憶させる際の処理の流れを示すものである。
【００４５】
すなわち、スケジュール情報の入力に際しては、まずそのスケジュールを開始する日付と時刻とを入力する（ステップＡ０１）。次に、その開始時刻からの使用スケジュール内容として、例えば投影動作を実行する時間幅「３０分」「６０分」「９０分」「１２０分」「１８０分」「２４０分」等のうちから選択設定する（ステップＡ０２）。
【００４６】
以上で１つのスケジュール情報の入力が完了したこととなるもので、ユーザは必要に応じた数のスケジュール情報を任意に入力することで、それらのスケジュールデータがスケジュール管理部３６に順次蓄積して記憶されることとなる。
【００４７】
次いで、図４により制御部３４が実行するＡＣ電源の接続に係る投影制御動作を説明する。
【００４８】
図４は、上記図３で示した処理によりスケジュール管理部３６にスケジュールデータが記憶されている状態で実行される、ＡＣアダプタ接続部１９にＡＣ電源が供給されてからの処理内容を示すものである。
【００４９】
その動作当初には、ＡＣアダプタ接続部１９よりＡＣ電源が接続されてその供給がなされたか否かを繰返し判断することで、ＡＣ電源が供給されるのを待機する（ステップＢ０１）。
【００５０】
しかして、ＡＣ電源が接続されてその供給があるとステップＢ０１でこれを判断し、まず装置の電源が仮のオン状態となる、投影のスタンバイ状態を設定する（ステップＢ０２）。このスタンバイ状態では、例えば図示しない光源ランプ２８用の冷却ファンによる低回転での冷却動作、入力信号のサーチを含むイニシャライズ動作等を含む。
【００５１】
スタンバイ状態の設定後、予めダイレクトパワーオン機能が設定されているか否かを判断する（ステップＢ０３）。  
ここで、ダイレクトパワーオン機能が予め設定されていない場合には、次いでキースイッチ部１５またはこのプロジェクタ装置１０のリモートコントローラでの電源キーの操作がなされるのを一定時間待機した上で（ステップＢ０４）、同電源キーの操作があったか否かを判断する（ステップＢ０５）。
【００５２】
電源キーの操作がない場合には、再び上記ステップＢ０４からの動作を繰返すことで、電源キーが操作されるまで待機する。
【００５３】
しかして、ステップＢ０５で電源キーが操作されたと判断すると、その操作に対応して光源ランプ２８の点灯駆動の開始等を含む、本来の電源オン処理を実行した上で（ステップＢ０６）、入出力コネクタ部１７より入力される信号に対応した投影動作を開始し（ステップＢ０７）、以上でこの図４の処理を終了して、以後通常の投影動作を実行する。
【００５４】
また、上記ステップＢ０３でダイレクトパワーオン機能が予め設定されていると判断した場合には、さらに現在の日付及び時刻を上記時計部３５より取得した上で（ステップＢ０８）、スケジュール管理部３６に記憶されているスケジュールデータを参照し、いずれか使用可能な時間範囲に該当するものがあるか否かを判断する（ステップＢ０９）。
【００５５】
ここで、現在の日時が予め設定したスケジュールデータの中の少なくとも１つの使用可能な時間範囲内に該当すると判断した場合には、上記ダイレクトパワーオン機能を実現するべく、直ちに光源ランプ２８の点灯駆動の開始等を含む電源オン処理を実行した上で（ステップＢ０６）、入出力コネクタ部１７より入力される信号に対応した投影動作を開始し（ステップＢ０７）、以上でこの図４の処理を終了して、以後通常の投影動作を実行する。
【００５６】
また、上記ステップＢ０９で現在の日時が予め設定したスケジュールデータのいずれの使用可能な時間範囲内にも該当しないと判断した場合には、ＡＣ電源の接続に係る自動的な電源オン動作は無効であるものとして、上記スタンバイ状態を解除した後に（ステップＢ１０）、再び上記ステップＢ０１からの処理に戻る。
【００５７】
このように、ＡＣ電源が接続されて電源の供給がなされると、ダイレクトパワーオン機能が設定されており、且つ予めスケジュールデータが設定されている時間帯内である場合には、自動的にダイレクトパワーオン機能によりすみやかに投影を開始できる状態まで移行できる一方で、スケジュールデータが設定されている時間帯外である場合には、ダイレクトパワーオン機能が設定されていても当該機能が起動されることはない。  
したがって、必要により安全を図りながら、電源の管理に要する手間を極力簡略化することが可能となる。
【００５８】
（第２の動作例）  
なお、この動作例においては、時計部３５が現在の日付及び時刻の計時のみならず、ダイレクトパワーオン機能を起動してから、何らかのキー操作がなされるまでの間の計時を行なうタイマとしても機能するものとする。
【００５９】
ここでは、予めユーザによって投影動作を行なうスケジュール情報が入力され、スケジュール管理部３６に記憶されるものとする。スケジュール管理部３６にスケジュール情報を記憶させる際の動作については、上記図３で示した場合と同様であるので、その説明については省略する。
【００６０】
図５は、スケジュール管理部３６にスケジュールデータが記憶されている状態で実行される、ＡＣアダプタ接続部１９にＡＣ電源が供給されてからの処理内容を示すものである。
【００６１】
その動作当初には、ＡＣアダプタ接続部１９よりＡＣ電源が接続されてその供給がなされたか否かを繰返し判断することで、ＡＣ電源が供給されるのを待機する（ステップＣ０１）。
【００６２】
しかして、ＡＣ電源が接続されてその供給があるとステップＣ０１でこれを判断し、まず装置の電源が仮のオン状態となる、投影のスタンバイ状態を設定する（ステップＣ０２）。このスタンバイ状態では、例えば図示しない光源ランプ２８用の冷却ファンによる低回転での冷却動作、入力信号のサーチを含むイニシャライズ動作等を含む。
【００６３】
スタンバイ状態の設定後、予めダイレクトパワーオン機能が設定されているか否かを判断する（ステップＣ０３）。  
ここで、ダイレクトパワーオン機能が予め設定されていない場合には、次いでキースイッチ部１５またはこのプロジェクタ装置１０のリモートコントローラでの電源キーの操作がなされるのを一定時間待機した上で（ステップＣ０４）、同電源キーの操作があったか否かを判断する（ステップＣ０５）。
【００６４】
電源キーの操作がない場合には、再び上記ステップＣ０４からの動作を繰返すことで、電源キーが操作されるまで待機する。
【００６５】
しかして、ステップＣ０５で電源キーが操作されたと判断すると、その操作に対応して光源ランプ２８の点灯駆動の開始等を含む、本来の電源オン処理を実行した上で（ステップＣ０６）、入出力コネクタ部１７より入力される信号に対応した投影動作を開始し（ステップＣ０７）、以上でこの図５の処理を終了して、以後通常の投影動作を実行する。
【００６６】
また、上記ステップＣ０３でダイレクトパワーオン機能が予め設定されていると判断した場合には、次に現在の日付及び時刻を上記時計部３５より取得した上で（ステップＣ０８）、スケジュール管理部３６に記憶されているスケジュールデータを参照し、いずれか使用可能な時間範囲に該当するものがあるか否かを判断する（ステップＣ０９）。
【００６７】
ここで、現在の日時が予め設定したスケジュールデータのいずれの使用可能な時間範囲内にも該当しないと判断した場合には、ＡＣ電源の接続に係る自動的な電源オン動作は無効であるものとして、上記スタンバイ状態を解除した後に（ステップＡＣ１０）、再び上記ステップＣ０１からの処理に戻る。
【００６８】
また、上記ステップＣ０９で、現在の日時が予め設定したスケジュールデータの中の少なくとも１つの使用可能な時間範囲内に該当すると判断した場合には、上記ダイレクトパワーオン機能を実現するべく、直ちに光源ランプ２８の点灯駆動の開始等を含む電源オン処理を実行した上で（ステップＣ１１）、時計部３５による所定時間、例えば１８０［秒］のカウントを開始する（ステップＣ１２）。
【００６９】
その後、時計部３５によるカウントが所定時間となったか否か（ステップＣ１３）、キースイッチ部１５またはこのプロジェクタ装置１０のリモートコントローラによる何らかのキー操作があったか否か（ステップＣ１４）を繰返し判断することで、これらのいずれかの状態となるのを待機する。
【００７０】
しかして、キースイッチ部１５またはリモートコントローラでの何らかのキー操作がないままに、時計部３５によるカウント値が所定の時間、例えば１８０［秒］となった場合には、所定の時間が経過してもユーザによるキー操作がなされないため、このプロジェクタ装置１０による投影を行なわないものとして、一切の電源をオフする電源オフ処理を実行した後に（ステップＣ１５）、再び上記ステップＣ０１からの処理に戻る。
【００７１】
また、キースイッチ部１５またはリモートコントローラでの何らかのキー操作がなされた場合、上記ステップＣ１１でこれを判断し、所定の時間内にユーザによるキー操作があったものとして、入出力コネクタ部１７より入力される信号に対応した投影動作を開始し（ステップＣ０７）、以上でこの図５の処理を終了して、以後通常の投影動作を実行する。
【００７２】
このように、上記第１の動作例での効果に加え、さらに電源オン後に所定時間が経過しても何らキー操作がなされない場合には自動的に電源をオフするものとしたので、必要に応じてより確実に安全を図りながら、電源の管理に要する手間を極力簡略化することが可能となる。
【００７３】
また、上記ステップＣ１４での判断は何らかのキー操作があったか否かではなく、上記入出力コネクタ部１７により入力された各種規格の画像信号があるか否かによって判断してもよい。
【００７４】
また、上記ステップＣ０９で、現在の日時が予め設定したスケジュールデータのいずれの使用可能な時間範囲内にも該当しないと判断した場合でも、上記ステップＣ１１の電源オン処理に進み、同様の処理を行なうものとしてもよい。この場合、上記ステップＣ１２での時計部３５によるカウントは、例えば１２０［秒］と上記１８０［秒］に比べ短いものとしてもよい。
【００７５】
（第３の動作例）  
なお、この動作例においては、時計部３５がダイレクトパワーオン機能を起動してから、何らかのキー操作がなされるまでの間の計時を行なうタイマとして機能するものとする。
【００７６】
図６は、ＡＣアダプタ接続部１９にＡＣ電源が供給されてからの処理内容を示すものである。  
その動作当初には、ＡＣアダプタ接続部１９よりＡＣ電源が接続されてその供給がなされたか否かを繰返し判断することで、ＡＣ電源が供給されるのを待機する（ステップＤ０１）。
【００７７】
しかして、ＡＣ電源が接続されてその供給があるとステップＤ０１でこれを判断し、まず装置の電源が仮のオン状態となる、投影のスタンバイ状態を設定する（ステップＤ０２）。このスタンバイ状態では、例えば図示しない光源ランプ２８用の冷却ファンによる低回転での冷却動作、入力信号のサーチを含むイニシャライズ動作等を含む。
【００７８】
スタンバイ状態の設定後、予めダイレクトパワーオン機能が設定されているか否かを判断する（ステップＤ０３）。  
ここで、ダイレクトパワーオン機能が予め設定されていない場合には、次いでキースイッチ部１５またはこのプロジェクタ装置１０のリモートコントローラでの電源キーの操作がなされるのを一定時間待機した上で（ステップＤ０４）、同電源キーの操作があったか否かを判断する（ステップＤ０５）。
【００７９】
電源キーの操作がない場合には、再び上記ステップＤ０４からの動作を繰返すことで、電源キーが操作されるまで待機する。
【００８０】
しかして、ステップＤ０５で電源キーが操作されたと判断すると、その操作に対応して光源ランプ２８の点灯駆動の開始等を含む、本来の電源オン処理を実行した上で（ステップＤ０６）、入出力コネクタ部１７より入力される信号に対応した投影動作を開始し（ステップＤ０７）、以上でこの図６の処理を終了して、以後通常の投影動作を実行する。
【００８１】
また、上記ステップＤ０３でダイレクトパワーオン機能が予め設定されていると判断した場合には、即時ダイレクトパワーオン機能を実現するべく、直ちに光源ランプ２８の点灯駆動の開始等を含む、本来の電源オン処理を実行した上で（ステップＤ０８）、時計部３５による所定時間、例えば１８０［秒］のカウントを開始する（ステップＤ０９）。
【００８２】
その後、時計部３５によるカウントが所定時間となったか否か（ステップＤ１０）、キースイッチ部１５またはこのプロジェクタ装置１０のリモートコントローラによる何らかのキー操作があったか否か（ステップＤ１１）を繰返し判断することで、これらのいずれかの状態となるのを待機する。
【００８３】
しかして、キースイッチ部１５またはリモートコントローラでの何らかのキー操作がないままに、時計部３５によるカウント値が所定の時間、例えば１８０［秒］となった場合には、所定の時間が経過してもユーザによるキー操作がなされないため、このプロジェクタ装置１０による投影を行なわないものとして、一切の電源をオフする電源オフ処理を実行した後に（ステップＤ１２）、再び上記ステップＤ０１からの処理に戻る。
【００８４】
また、キースイッチ部１５またはリモートコントローラでの何らかのキー操作がなされた場合、上記ステップＤ１１でこれを判断し、所定の時間内にユーザによるキー操作があったものとして、入出力コネクタ部１７より入力される信号に対応した投影動作を開始し（ステップＤ０７）、以上でこの図６の処理を終了して、以後通常の投影動作を実行する。
【００８５】
このように、ダイレクトパワーオン機能により電源オン後に所定時間が経過しても何らキー操作がなされない場合には、自動的に電源をオフするものとしたので、必要に応じてより確実に安全を図りながら、電源の管理に要する手間を極力簡略化することが可能となる。
【００８６】
また、上記ステップＤ１１での判断は何らかのキー操作があったか否かではなく、上記入出力コネクタ部１７により入力された各種規格の画像信号があるか否かによって判断してもよい。
【００８７】
なお、上記第２及び第３の動作例では、ダイレクトパワーオン機能により電源をオンしてから所定時間が経過する間、単に何らかのキー操作があるのを待機するものとして説明したが、この待機時に併せて所定時間のカウントダウン表示を実行し、ユーザがプロジェクタ装置１０の近傍に存在する場合に何らかのキー操作を行なうのを促すものとしてもよい。
【００８８】
すなわち、所定時間を計時している時点ですでに投影が可能な状態となっているのであるから、例えばガイドメッセージの文字列を  
「あと○○○秒で電源をオフにします  
いずれかのキーを操作して下さい」  
のように投影表示するものとしてもよいし、音声によるガイドメッセージで同様の内容を例えば１０［秒］間隔で拡声放音出力するものとしてもよい。
【００８９】
こうしたユーザによる操作を促す表示を行なうことで、ユーザがプロジェクタ装置１０の近傍にいる場合には、確実に投影動作に移行することができる。
【００９０】
また、上記実施の形態は、本発明をマイクロミラー素子を用いるＤＬＰ（Ｄｉｇｉｔａｌ  Ｌｉｇｈｔ  Ｐｒｏｃｅｓｓｉｎｇ）（登録商標）方式のプロジェクタ装置に適用した場合について説明したが、本発明はこれに限らず、液晶カラーパネルを用いたプロジェクタ装置等に適用することも容易に可能である。
【００９１】
さらに本発明を、ＡＣ電源が接続されて電源供給されることにより発熱する電気機器、つまりダイレクトパワーオン機能を備えている、あるいはＡＣ電源が接続されて電源供給されることにより動作する設定のできる機器、例えばアイロンやはんだごて等にも適用することが容易に可能である。
【００９２】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００９３】
【図１】本発明の実施の一形態に係るプロジェクタ装置の外観構成を示す斜視図。
【図２】同実施の形態に係る電子回路の機能構成を示すブロック図。
【図３】同実施の形態に係る第１の動作例でのスケジュール情報入力時の処理内容を示すフローチャート。
【図４】同実施の形態に係る第１の動作例でのＡＣ電源接続時の投影制御動作の処理内容を示すフローチャート。
【図５】同実施の形態に係る第２の動作例でのＡＣ電源接続時の投影制御動作の処理内容を示すフローチャート。
【図６】同実施の形態に係る第３の動作例でのＡＣ電源接続時の投影制御動作の処理内容を示すフローチャート。
【符号の説明】
【００９４】
１０…プロジェクタ装置、１１…本体ケーシング、１２…投影レンズ、１３…測距センサ、１４…Ｉｒ受光部、１５…キースイッチ部、１６…スピーカ、１７…入出力コネクタ部、１８…Ｉｒ受光部、１９…ＡＣアダプタ接続部、２１…入出力インタフェース（Ｉ／Ｆ）、２２…画像変換部、２３…投影エンコーダ、２４…ビデオＲＡＭ、２５…投影駆動部、２６…マイクロミラー素子、２７…リフレクタ、２８…光源ランプ、２９…カラーホイール、３０…ライトトンネル、３１…ミラー、３２…モータ（Ｍ）、３３…投影光処理部、３４…制御部、３５…画像記憶部、３６…スケジュール管理部、３７…測距処理部、３８…音声処理部、３９…Ｉｒ受光部、ＳＢ…システムバス。
【図１】
2008129531.tif 000003
【図２】
2008129531.tif 000004
【図３】
2008129531.tif 000005
【図４】
2008129531.tif 000006
【図５】
2008129531.tif 000007
【図６】
2008129531.tif 000008